(57)【要約】【課題】安価な１軸のみの傾斜角度を検出し加湿装置の設置傾きによる水位変化を補正することを目的とする。【解決手段】給水部７の一側面の中心を通る鉛直線上に前記給水部７の水位を検出する水位検出手段９を設け、この水位検出手段９は鉛直方向に並べて配した複数の静電容量方式の近接センサ９ａ〜９ｅから形成し、給水部７側面の倒れを検出する傾斜検出手段１１と前記傾斜検出手段１１により検出した値を用いて、水位検出手段９により検出した水位を補正する水位補正手段１６を設けることにより、給水部７の左側と右側の水位は鉛直線を中心に左右対象に増減することとなり鉛直線上の水位検出手段９は加湿装置本体の傾きの影響を受けにくくなるので、安価な１軸のみの傾斜角度を検出することで、目論見通りの水量で水位を検知する。【選択図】図３
2013253757.tif 000002
【特許請求の範囲】
【請求項１】
吸気口と排気口とを有する本体ケースと、この本体ケース内で、前記吸気口から前記排気口に送風する送風手段を設け、この送風手段の送風路に加湿手段を設け、この加湿手段は水槽と、この水槽に常に所定水位まで給水する略直方体の給水部と、前記水槽の水に一部が浸漬した加湿部とから形成し、前記給水部の一側面の中心を通る鉛直線上に前記給水部の水位を検出する水位検出手段を設け、この水位検出手段は鉛直方向に並べて配した複数の水検出手段から形成し、前記送風手段等の制御を行う制御部を設け、前記水位検出手段を設けた前記給水部の側面の倒れを検出する傾斜検出手段と前記傾斜検出手段により検出した値を用いて、水位検出手段により検出した水位を補正する水位補正手段を設けたことを特徴とする加湿装置。
【請求項２】
本体ケースに前記給水部の水位の一部を外部から確認可能とする給水部水位確認窓を設け、前記水位検出手段は加湿装置を水平に設置した状態で給水部水位確認窓により確認できる水位より低い水位を検出可能な位置に配することを特徴とする請求項１に記載の加湿装置。
【発明の詳細な説明】
【技術分野】
【０００１】
本発明は、加湿装置の給水タンクの水位を検知する方法に関する。
【背景技術】
【０００２】
従来、この種に関する加湿装置は、気化フィルターに水を供給する水槽部に水位検知手段を配し、水位を検知する加湿装置が知られている（例えば、特許文献１参照）。
【０００３】
以下、その加湿装置について説明する。
【０００４】
気化フィルターに水を供給する水槽部と水槽部の水位を一定に保つ給水タンクと、水槽部内の水位を検知する水位検知手段を備えた加湿装置であって、磁石を設けたフロートが水槽の水位により上下することによりリードスイッチをＯＮ／  ＯＦＦし、水位を検知する。
【先行技術文献】
【特許文献】
【０００５】
【特許文献１】特開２００３−９７８２９号公報
【発明の概要】
【発明が解決しようとする課題】
【０００６】
このような従来の加湿装置では、加湿装置が水平面に対して斜めに設置された場合、水槽内の水面が加湿装置に対して水平ではなくなり、フロートが正確に動かず、目論見通りの水量で水位を検知することができないという課題を有していた。
【０００７】
また、上記課題を解決するために水槽部に水を供給する給水部の水位を検知する方法が考えられるが、２軸の傾きを検出しなくてはならず複雑かつ高価になってしまうという課題を有していた。
【０００８】
そこで本発明は、上記従来の課題を解決するものであり、加湿装置が水平面に対して斜めに設置された場合であっても、安価な１軸のみの傾斜角度を検出し水位を補正することにより目論見通りの水量で水位を検知することを可能とする加湿装置を提供することを目的とする。
【課題を解決するための手段】
【０００９】
そして、この目的を達成するために、本発明は、吸気口と排気口とを有する本体ケースと、この本体ケース内で、前記吸気口から前記排気口に送風する送風手段を設け、この送風手段の送風路に加湿手段を設け、この加湿手段は水槽と、この水槽に常に所定水位まで給水する略直方体の給水部と、前記水槽の水に一部が浸漬した加湿部とから形成し、前記給水部の一側面の中心を通る鉛直線上に前記給水部の水位を検出する水位検出手段を設け、この水位検出手段は鉛直方向に並べて配した複数の水検出手段から形成し、前記送風手段等の制御を行う制御部を設け、前記水位検出手段を設けた前記給水部の側面の倒れを検出する傾斜検出手段と前記傾斜検出手段により検出した値を用いて、水位検出手段により検出した水位を補正する水位補正手段を設けたことを特徴としたものであり、これにより所期の目的を達成するものである。
【発明の効果】
【００１０】
本発明によれば、吸気口と排気口とを有する本体ケースと、この本体ケース内で、前記吸気口から前記排気口に送風する送風手段を設け、この送風手段の送風路に加湿手段を設け、この加湿手段は水槽と、この水槽に常に所定水位まで給水する略直方体の給水部と、前記水槽の水に一部が浸漬した加湿部とから形成し、前記給水部の一側面の中心を通る鉛直線上に前記給水部の水位を検出する水位検出手段を設け、この水位検出手段は鉛直方向に並べて配した複数の水検出手段から形成し、前記送風手段等の制御を行う制御部を設け、前記水位検出手段を設けた前記給水部の側面の倒れを検出する傾斜検出手段と前記傾斜検出手段により検出した値を用いて、水位検出手段により検出した水位を補正する水位補正手段を設けたことにより、
加湿装置が水平面に対して斜めに設置された場合であっても、傾斜角度を検出し水位を補正することとなるので、目論見通りの水量で水位を検知することができるという効果を得る。
【図面の簡単な説明】
【００１１】
【図１】本発明の実施の形態１の加湿装置の図
【図２】同加湿装置の断面図
【図３】同加湿装置の水位検出手段の配置図
【図４】同加湿装置がＹ−Ｘ面に対して傾いている場合の給水部の水位図
【図５】同加湿装置がＹ−Ｚ面に対して傾いている場合の給水部の水位図
【図６】同加湿装置がＹ−Ｚ面に対して傾いている場合の水位補正フロー図
【図７】同加湿装置がＹ−Ｚ面に対して傾いている場合の水位補正値を示す図
【図８】同加湿装置の水検出手段の水検出数と水位レベルの関係図
【図９】同加湿装置の断面図
【発明を実施するための形態】
【００１２】
本発明の請求項１記載の加湿装置は、吸気口と排気口とを有する本体ケースと、この本体ケース内で、前記吸気口から前記排気口に送風する送風手段を設け、この送風手段の送風路に加湿手段を設け、この加湿手段は水槽と、この水槽に常に所定水位まで給水する略直方体の給水部と、前記水槽の水に一部が浸漬した加湿部とから形成し、前記給水部の一側面の中心を通る鉛直線上に前記給水部の水位を検出する水位検出手段を設け、この水位検出手段は鉛直方向に並べて配した複数の水検出手段から形成し、前記送風手段等の制御を行う制御部を設け、前記水位検出手段を設けた前記給水部の側面の倒れから本体の傾斜角度を検出する傾斜検出手段と前記傾斜検出手段により検出した値を用いて、水位検出手段により検出した水位を補正する水位補正手段を設けるという構成を有する。
【００１３】
これにより、加湿装置が水平面に対して、傾く方向は、水位検出手段を設けた給水部の側面が倒れる方向と水位検出手段を設けた給水部の側面に隣接する側面が倒れる方向の２方向があり、前者の傾く方向に対して、傾斜検出手段は、加湿装置が水平面に対して、水位検出手段を設けた給水部の側面の倒れ度合いを検出し、水位補正手段は、前記倒れ度合いに応じて水位検出手段の検出した水位を補正し、また、後者の傾く方向に対して、水位検出手段を水位検出手段を設けた給水部の側面の中心を通る鉛直線上に設けることにより、水位検出手段を設けた給水部の側面に隣接する側面が倒れた場合に、給水部の左側と右側の水位は鉛直線を中心に左右対象に増減することとなり鉛直線上の水位検出手段は加湿装置本体の傾きの影響を受けにくくなくなるので、安価な１軸のみの傾斜角度を検出で、目論見通りの水量で水位を検知することができるという効果を奏する。
【００１４】
また、請求項２記載の加湿装置は、本体ケースに前記給水部の水位の一部を外部から確認可能とする給水部水位確認窓を設け、前記水位検出手段は加湿装置を水平に設置した状態で給水部水位確認窓により確認できる水位より低い水位を検出可能な位置に配するという構成にしてもよい。
【００１５】
これにより、使用者が給水部水位確認窓から水位を確認できない水量での水位を水位検出手段が検出することとなるので、使用者の目に頼らず、目論見通りの水量で水位を検出することができるという効果を奏する。
【００１６】
以下、本発明の実施の形態について図面を参照しながら説明する。
【００１７】
（実施の形態１）
図１から図３に示すように、加湿装置は吸気口１と排気口２とを有する略直方体の本体ケース３と、この本体ケース３内で、吸気フィルター１７を設けた吸気口１から排気口２に送風する送風手段４としてのファンモータを設け、この送風手段４の送風路に加湿手段５を備えている。
【００１８】
この加湿手段５は水槽６と、この水槽６に常に所定水位まで給水する給水部７としての給水タンクと、前記水槽６の水に一部が浸漬した加湿部としての加湿フィルター８とから形成する。
【００１９】
給水部７は、図１に示すように、略直方体の形状をしていて、長手方向を加湿装置の略鉛直方向（Ｙ軸方向）に向けて配置される。
【００２０】
また、図２に示すように、給水部７は、加湿装置の一端側に寄せて配置し、他端側に対向する給水部７の側面である給水タンクの一側面１８は、湿装置の中心部側に配置される。そして、給水タンクの一側面１８に給水部７内の水位を検出する水位検出手段９を設ける。
【００２１】
また、図３に示すように、前記給水タンクの一側面１８の中心を通る鉛直線上に前記給水部７の水位を検出する水位検出手段９を設け、前記水位検出手段９は鉛直方向に並べて配した複数の水検出手段としての静電容量方式の近接センサ９ａ、９ｂ、９ｃ、９ｄ、９ｅからなる。
【００２２】
また、前記送風手段４等の加湿装置としての制御を行う制御部１０を設け、前記制御部１０に傾斜検出手段１１としての傾斜センサと、前記傾斜検出手段１１により検出した水位を補正する水位補正手段１６としてのマイコンを設ける。さらに、前記傾斜検出手段１１は本加湿装置が水平面に対して、前記水位検出手段９を設けた給水部７の側面に隣接する側面が倒れる方向（Ｙ−Ｚ面が倒れる方向）の傾れ度合いを検出可能な向きに配置する。
【００２３】
また、図４には、加湿装置が水平面に対して傾いて、水位検出手段９を設けた給水部７の側面がΦ度だけ倒れる場合（Ｙ−Ｘ面が倒れる場合）の給水部７の水位図を示す。給水部７のＺ方向の幅を２ｇとし、給水部７の一側面を通る鉛直線に対して左側の水位の増加分１３をＳａとし、右側の水位の減少分１４をＳｂとすると、下記の関係式が成り立つ。
【００２４】
Ｓａ＝Ｓｂ＝１／２＊ｇ＊ｇ＊ｔａｎΦ・・・・・（式１）
この関係式は加湿装置がＹ−Ｘ面に対して傾いても前記鉛直線上の水位１２がほぼ変化しないことを意味する。
従って、傾斜検出手段１１は加湿装置がＹ−Ｘ面に倒れる傾きを検出する必要がなくなり、Ｙ−Ｚ面に倒れる傾きのみ検出可能なように配置すればよいこととなる。
【００２５】
また、図５には、加湿装置がＹ−Ｚ面に対してθ度傾いている場合の給水部７の水位図、図６には、加湿装置がＹ−Ｚ面に対してθ度傾いている場合の水位補正フロー図、図７には、水位補正値表、図８には、静電容量方式の近接センサ９ａ〜９ｅと水位レベルとの関係図を示す。
【００２６】
図８に示すように、水検出手段の検出数により水位レベルを２、１、０、−１、−２とレベル分けする。
【００２７】
図５〜図７を用いて、加湿装置がＹ−Ｚ面にθ度傾いている場合の給水部７の水位補正の流れを説明する。まず、傾斜検出手段１１により傾斜角θを検出し（例えば１１度）、図７に示すように傾斜角度に対応して補正値を決定する（補正値：２）。また、水位検出手段９により水位レベルを検出し（例えば−１）、検出した水位レベルと前記補正値の和をとった値（−１＋２＝１）を補正後の水位レベルとする。
【００２８】
また、図７のような傾斜角度範囲すなわち、水平面に置いた上体を中心にして５度ずつの傾斜角度ごとに分けて補正値を設定するには、図５に示すように、給水部７のＸ方向の幅を２ｈとすると、水検出手段の検知間隔ｗは、ｗ＝ｈ＊ｔａｎ５°となるように前記静電容量方式の近接センサ９ａ〜９ｅを配列すればよい。
【００２９】
上記構成により、検出したい水位レベルを０とすると、加湿装置がＹ−Ｘ面に対してΦ度、Ｙ−Ｚ面に対してθ度、傾いて設置された場合において、Φ度の影響はほぼ無しになり、θ度の影響は図６のフローにより補正され、加湿装置の設置傾きによらず、正確に水位レベル０を検出できることとなる。
【００３０】
また、図９に示すように、本体ケース３に給水部７の水位の一部を外部から確認可能とする給水部水位確認窓１５としての透明樹脂を設け、水位検出手段９を本加湿装置を水平に設置した状態で前記給水部水位確認窓１５により確認できる水位より低い水位を検出可能な位置に配する構成としてもよい。
上記構成により、使用者が給水部水位確認窓１５から水位を確認できない水量での水位を水位検出手段９が検出することとなり、使用者の目に頼らず、目論見通りの水量で水位を検出することとなる。
【産業上の利用可能性】
【００３１】
本発明にかかる加湿装置は、一般家電用の水位検出制御に適用できる。
【符号の説明】
【００３２】
１  吸気口
２  排気口
３  本体ケース
４  送風手段
５  加湿手段
６  水槽
７  給水部
８  加湿フィルター
９  水位検出手段
１０  制御部
１１  傾斜検出手段
１２  水位
１３  左側の水位の増加分
１４  右側の水位の減少分
１５  給水部水位確認窓
１６  水位補正手段
１７  吸気フィルター
１８  給水タンクの一側面
【図１】
2013253757.tif 000003
【図２】
2013253757.tif 000004
【図３】
2013253757.tif 000005
【図４】
2013253757.tif 000006
【図５】
2013253757.tif 000007
【図６】
2013253757.tif 000008
【図７】
2013253757.tif 000009
【図８】
2013253757.tif 000010
【図９】
2013253757.tif 000011